(57)【要約】【課題】リードを挿通する孔から雨水が浸入するのを防ぐ、ペット用レインコートを提供する。【解決手段】ペットの頭部や胴体を覆うためのペット用レインコートであって、ペットの首部及び背部に対応する背面部に孔を有し、前記孔の周囲に防滴部を有し、前記防滴部は、前記孔から断面積を絞るように立ち上げ、上端にリード挿通孔を形成することを特徴とする、ペット用レインコート。【選択図】図１
0003223874.tif 000002
【実用新案登録請求の範囲】
【請求項１】
ペットの頭部や胴体を覆うためのペット用レインコートであって、
ペットの首部及び背部に対応する背面部に孔を有し、
前記孔の周囲に防滴部を有し、
前記防滴部は、前記孔から断面積を絞るように立ち上げ、上端にリード挿通孔を形成することを特徴とする、
ペット用レインコート。
【請求項２】
請求項１に記載のペット用レインコートにおいて、
前記リード挿通孔の周囲にゴムを設けることを特徴とする、
ペット用レインコート。
【請求項３】
請求項１に記載のペット用レインコートにおいて、
前記リード挿通孔の周囲に紐体を設けるとともに、
前記紐体の前記リード挿通孔を包囲する長さを調整するためのストッパーを設けることを特徴とする、
ペット用レインコート。
【請求項４】
請求項１乃至請求項３のペット用レインコートにおいて、
前記孔は、ペットの首部から背部にかけて形成することを特徴とする、
ペット用レインコート。
【考案の詳細な説明】
【技術分野】
【０００１】
本考案は、ペット用のレインコートに関し、特にペットが濡れにくく、様々な種類のリードやハーネスに適用できる、ペット用レインコートに関するものである。
【背景技術】
【０００２】
雨天時にペットを散歩させるときには、ペットが濡れるのを防ぐために、ペット用レインコートが広く用いられている。
従来のペット用のレインコートとしては、特許文献１に記載のものが知られている。
【先行技術文献】
【特許文献】
【０００３】
【特許文献１】実用新案登録第３０９２８０９号公報
【考案の概要】
【考案が解決しようとする課題】
【０００４】
一般的なペット用のレインコートは、特許文献１に記載のレインコートのように、首の後部分にリードを挿通するための孔を形成している。この孔は襞により覆われている。
しかし、リードはペットの動きに合わせて動くため、襞が持ち上がると、孔から雨水が内部に浸入し、ペットが濡れる場合がある。
また、孔の大きさが限定されるため、ハーネスを用いた場合にリードの位置と孔の位置が合わずに、リードが動いたときにレインコートがずれてしまうおそれがある。
【０００５】
以上のような問題点に鑑み本考案は、リードを挿通する孔から雨水が浸入するのを防ぐ、ペット用レインコートを提供することを目的とする。
【課題を解決するための手段】
【０００６】
本願の第一考案は、ペットの頭部や胴体を覆うためのペット用レインコートであって、ペットの首部及び背部に対応する背面部に孔を有し、前記孔の周囲に防滴部を有し、前記防滴部は、前記孔から断面積を絞るように立ち上げ、上端にリード挿通孔を形成することを特徴とする、ペット用レインコートを提供する。
本願の第二考案は、第一考案のペット用レインコートにおいて、前記リード挿通孔の周囲にゴムを設けることを特徴とする、ペット用レインコートを提供する。
本願の第三考案は、第一考案のペット用レインコートにおいて、前記リード挿通孔の周囲に紐体を設けるとともに、前記紐体の前記リード挿通孔を包囲する長さを調整するためのストッパーを設けることを特徴とする、ペット用レインコートを提供する。
本願の第四考案は、第一考案乃至第三考案のいずれかのペット用レインコートにおいて、前記孔は、ペットの首部から背部にかけて形成することを特徴とする、ペット用レインコートを提供する。
【考案の効果】
【０００７】
本考案のペット用レインコートは、次のような効果を得ることができる。
（１）背面部に形成する孔から上方に断面積を絞ってリード挿通孔を形成するため、孔を大きくしても、内部に雨水が浸入してペットが濡れることがない。
（２）リード挿通孔は、ゴムや紐体とストッパー等により開口面積を変えられるため、リードの挿通作業を容易に行うことができる。
（３）背面部の孔を大きく形成できるため、孔をペットの首部から背部にかけて形成することにより、首輪を用いる場合とハーネスを用いる場合のいずれのリード位置にも防滴部が対応し、リードが動いたときでもペット用レインコートがずれてしまうことがない。
【図面の簡単な説明】
【０００８】
【図１】本考案のペット用レインコートの説明図（１）である。
【図２】防滴部の説明図であり、（ａ）は表から、（ｂ）は裏から、それぞれ防滴部を見た図である。
【図３】防滴部のリード挿通孔の説明図である。
【図４】本考案のペット用レインコートの説明図（２）である。
【考案を実施するための形態】
【０００９】
以下図面を参照にしながら本考案の好適な実施の形態を詳細に説明する。
【実施例】
【００１０】
＜１＞基本的構成
本考案のペット用レインコート１は、ペットの頭部、前足、胴体等を防水性、撥水性を有するシート材によって覆い、ペットが雨水によって濡れるのを防ぐものである（図１）。
本考案のペット用レインコート１は、ペットの首や背の部分に対応する背面部１１に、防滴部２を形成する。
【００１１】
＜２＞防滴部２
防滴部２は、背面部１１に形成した孔１２の周囲に設ける部材であり（図２）、ペット用レインコート１と同様のシート材によって構成する。
防滴部２は、背面部１１の孔１２から断面積を絞るように上方に立ち上げ、上端にリード挿通孔２１を形成する。上方に断面積を絞ってリード挿通孔２１を形成するため、背面部１１に形成する孔１２を大きくしても、内部に雨水が浸入してペットが濡れることがない。
孔１２を大きく形成するため、孔１２の直径方向には、孔１２の広がりを抑える補強バンド１３を設ける。
【００１２】
＜３＞リード挿通孔２１
防滴部２の上端のリード挿通孔２１は、周囲にゴム２２を設け、ゴム２２により開口面積を変えることができるように構成する（図３（ａ））。通常時は、リード挿通孔２１の開口面積を絞ることによって雨水の浸入を防ぎ、リード３を挿通するときにはリード挿通孔２１の開口面積を大きくして挿通作業を容易に行うことができる。
また、ゴム２２の代わりに紐体２３を設け、紐体２３にストッパー２４を介在させ、ストッパー２４により紐体２３がリード挿通孔２１を包囲する長さを調整し、リード挿通孔２１の開口面積を変えるように構成してもよい（図３（ｂ））。
【００１３】
防滴部２の上方を絞ってリード挿通孔２１を形成するため、背面部１１の孔１２を大きくすることができる。
このため、孔１２をペットの首部から背部にかけて形成することができ、首輪４を用いる場合とハーネス５を用いる場合のいずれのリード３の取り付け位置にも防滴部２が対応し（図４）、リード３が動いたときでもペット用レインコート１がずれてしまうことがない。
【符号の説明】
【００１４】
１      ペット用レインコート
１１    背面部
１２    孔
１３    補強バンド
２      防滴部
２１    リード挿通孔
２２    ゴム
２３    紐体
２４    ストッパー
３      リード
４      首輪
５      ハーネス
【図１】
0003223874.tif 000003
【図２】
0003223874.tif 000004
【図３】
0003223874.tif 000005
【図４】
0003223874.tif 000006